(57)【要約】【課題】帰宅者が住宅に入る前に付近を通過する門柱において便利に手洗いすることができ、家族のウィルス感染のリスクを減らすことができるとともに、敷地に水栓専用の設置スペースが要らない水栓付き門柱を提供する。【解決手段】水栓付き門柱は、門柱１に水栓２と該水栓２からの水を受ける水受けパン３とが取り付けられてなる。門柱１の正面には、表札を取り付けるための表札取付部４と、インターホンを取り付けるためのインターホン取付部５と、郵便受けを取り付けるための郵便受け取付部６とが設けられている。【選択図】図１
0003230998.tif 000002
【実用新案登録請求の範囲】
【請求項１】
門柱（１）に水栓（２）が取り付けられていることを特徴とする水栓付き門柱。
【請求項２】
門柱（１）に水栓（２）からの水を受ける水受けパン（３）が取り付けられている請求項１記載の水栓付き門柱。
【請求項３】
水栓（２）は門柱（１）の背面に取り付けられている請求項１又は２記載の水栓付き門柱。
【請求項４】
門柱（１）の正面に表札、インターホン、郵便受け及び照明灯から選ばれる１つ又は２つ以上を取り付けるための取付部（４，５，６，７）が設けられている請求項３記載の水栓付き門柱。
【請求項５】
水栓（１）までの配管（８）は門柱（１）の内部を通る請求項１〜４のいずれか一項に記載の水栓付き門柱。
【請求項６】
門柱（１）の内部に収納空間（２０）が設けられ、門柱（１）の背面に収納空間（２０）を開閉する扉（２１）が取り付けられている請求項１〜５のいずれか一項に記載の水栓付き門柱。
【請求項７】
門柱（１）に荷掛フック（１８）が取り付けられている請求項１〜６のいずれか一項に記載の水栓付き門柱。
【考案の詳細な説明】
【技術分野】
【０００１】
本考案は、門柱に関するものである。
【背景技術】
【０００２】
近年、表札、インターホン、郵便受け、照明灯等を取り付けて多機能にした、いわゆる機能門柱を住宅に設置することが増えてきた（特許文献１〜３）。
【０００３】
しかし、門柱に水栓が取り付けられたものは見当たらない。
【先行技術文献】
【特許文献】
【０００４】
【特許文献１】実願昭５９−３３７７３号（実開昭６０−１４６１９８号）のマイクロフィルム
【特許文献２】特開２００５−１７１６６０号公報
【特許文献３】特開２０２０−９４３７０号公報
【考案の概要】
【考案が解決しようとする課題】
【０００５】
本年、新型コロナウィルス（ＣＯＶＩＤ−１９）が大流行し、その感染防止対策の一つとして、手洗いが推奨されている。しかし、帰宅者は、玄関のドアノブに触れて住宅に入り、さらに屋内のドアノブや照明スイッチなどに触れてから、ようやく手洗い場で手洗いすることになる。そのため、万が一、帰宅者の手にウィルスが付いていた場合、そのウィルスが手からドアノブや照明スイッチに移る可能性があり、家族感染のリスクが生じる。
【０００６】
ところで、屋外に設置する水栓柱（立水栓ともいう）がある。しかし、水栓柱は、主な目的が草花の水やり、自動車の洗浄、ペットの世話等であるから、主に庭や駐車スペースに設置され、門から玄関までの通路からは離れていることが多い。そのため、水栓柱で手洗いしようとすると回り道となる。また、敷地に水栓柱の設置スペースが確保できないこともある。
【０００７】
そこで、本考案の目的は、帰宅者が住宅に入る前に付近を通過する門柱において便利に手洗いすることができ、家族のウィルス感染のリスクを減らすことができるとともに、敷地に水栓専用の設置スペースが要らない水栓付き門柱を提供することにある。
【課題を解決するための手段】
【０００８】
本考案の水栓付き門柱は、門柱に水栓が取り付けられていることを特徴とする。
【０００９】
ここで、門柱に水栓からの水を受ける水受けパンが取り付けられていることが好ましい。手洗い時の水の飛散を防止でき、門柱まわりの地面を濡らさないようにできるからである。
【００１０】
水栓は門柱の背面に取り付けられていることが好ましい。水栓が外部から見えにくくなって、手洗いの様子を外部から見られにくくなり、また、他人に水栓を盗用されにくくなるからである。
【００１１】
門柱の正面に表札、インターホン、郵便受け及び照明灯から選ばれる１つ又は２つ以上を取り付けるための取付部が設けられていることが好ましい。いわゆる機能門柱として使用できるからである。
【００１２】
水栓までの配管は門柱の内部を通ることが好ましい。見栄えがスッキリするからである。
【００１３】
門柱の内部に収納空間が設けられ、門柱の背面に収納空間を開閉する扉が取り付けられていることが好ましい。
【００１４】
門柱に荷掛用フックが取り付けられていることが好ましい。
【考案の効果】
【００１５】
本考案の水栓付き門柱によれば、帰宅者が住宅に入る前に付近を通過する門柱において便利に手洗いすることができ、家族のウィルス感染のリスクを減らすことができるとともに、敷地に水栓専用の設置スペースが要らないという優れた効果を奏する。
【図面の簡単な説明】
【００１６】
【図１】図１は実施例１の水栓付き門柱を示し、（ａ）は正面側から見た斜視図、（ｂ）は背面側から見た斜視図である。
【図２】図２は同水栓付き門柱を示し、（ａ）は正面図、（ｂ）は右側面図、（ｃ）はＡ−Ａ断面図である。
【図３】図３は同水栓付き門柱に表札、インターホン及び郵便受けを取り付けて使用するときの斜視図である。
【図４】図４は実施例２の水栓付き門柱の要部を示し、（ａ）は正面図、（ｂ）は背面図、（ｃ）は扉を閉じたときの断面図、（ｄ）は扉を開いたときの断面図である。
【図５】図５は実施例３の水栓付き門柱を背面側から見た斜視図である。
【考案を実施するための形態】
【００１７】
１．門柱
門柱の形状及び寸法は、特に限定されない。門柱の材質としては、特に限定されないが、セメントモルタル、樹脂、金属、セラミックス等を例示できる。
門柱は、囲い（塀、フェンス、垣等）で敷地を囲うクローズド外構において設けられる門柱でもよいし、囲いの無いオープン外構において設けられる門柱でもよい。
【００１８】
２．水栓
水栓の形状及び寸法は、特に限定されない。
水栓は、つまみに手を触れて吐水／止水を切り替える接触水栓でもよいし、センサーに手をかざして吐水／止水を切り替える非接触水栓でもよいが、衛生的には後者が好ましい。
【００１９】
３．水受けパン
水受けパンの形状及び寸法は、特に限定されない。水受けパンの材質としては、特に限定されないが、セメントモルタル、樹脂、金属、セラミックス等を例示できる。
水受けパンとしては、門柱の背面の幅内に収まるもの、門柱の背面から左右側方へはみ出すもの、門柱の背面から側面まで回り込むもの等を例示できる。
【実施例】
【００２０】
本考案の実施例を図面を参照して説明する。なお、実施例の各部の構造、形状、材質、数等は例示であり、考案の要旨から逸脱しない範囲で適宜変更できる。
【００２１】
［実施例１］
図１及び図２に示す実施例１の水栓付き門柱は、門柱１に水栓２と該水栓２からの水を受ける水受けパン３とが取り付けられたものである。門柱１の正面には、表札１４を取り付けるための表札取付部４と、インターホン１５を取り付けるためのインターホン取付部５と、郵便受け１６を取り付けるための郵便受け取付部６とが設けられている。
【００２２】
門柱１は、オープン外構において設けられるものであり、例えばセメントモルタルにより四角筒状に形成されている。
【００２３】
水栓２は、門柱１の背面の中間高さに取り付けられている。水栓２までの配管８は、門柱１の内部を通されている。
【００２４】
水受けパン３は、門柱１の背面から背面の幅を越えて側面まで丸く湾曲して回り込むものであり、門柱１の背面及び側面に対して取り付けられている。詳しくは、水受けパン３は、例えばセメントモルタルにより門柱１と一体形成されることで取り付けられている。水受けパン３からの配管９は、門柱１の内部を通されている。
【００２５】
表札取付部４は、門柱１の正面の上部に設定された面エリアであり、表札１４を貼着、ネジ止め等により取り付けることができる。
【００２６】
インターホン取付部５は、門柱１の正面の表札取付部４よりも下に設定された面エリアであり、インターホン１５を貼着、ネジ止め等により取り付けることができ、予め配線用穴１０も形成されている。インターホン１５の配線１１は配線用穴１０及び門柱１の内部を通される。
【００２７】
郵便受け取付部６は、門柱１の正面のインターホン取付部５よりも下に設定された面エリアであり、郵便受け１６を貼着、ネジ止め等により取り付けることができる。
【００２８】
実施例１の水栓付き門柱は、図３に示すように、下部を地面Ｇに進入させて立設され、所望により、表札取付部４に表札１４を取り付け、インターホン取付部５にインターホン１５を取り付け、郵便受け取付部６に郵便受け１６を取り付ける等して使用される。
【００２９】
実施例１の水栓付き門柱によれば、次の作用効果が得られる。
（ア）帰宅者は、住宅に入る前に必ず付近を通過する門柱１において、水栓２により便利に手洗いすることができ、家族のウィルス感染のリスクを減らすことができる。
（イ）水受けパン３により、手洗い時の水の飛散を防止でき、門柱まわりの地面Ｇを濡らさないようにできる。
（ウ）水栓２は門柱１の背面に取り付けられているため、手洗いの様子が外部から見られにくく、また、他人に水栓を盗用されにくい。
（エ）敷地に水栓専用の設置スペースが要らない。
（オ）表札１４、インターホン１５、郵便受け１６を取り付けて、通常の機能門柱としても使用できる。
【００３０】
［実施例２］
図４に示す実施例２の水栓付き門柱は、次の事項において実施例１と相違し、その他は実施例１と共通するものである。
（１）門柱１の正面の上部に設けられた照明灯取付部７に照明灯１７が貼着、ネジ止め等により取り付けられ、その配線１３は予め門柱１に形成された配線用穴１２及び門柱１の内部を通されている。
（２）門柱１の側面に荷掛フック１８が取り付けられている。
（３）門柱１の内部に収納空間２０が設けられ、門柱１の背面に収納空間２０を開閉する扉２１が取り付けられている。扉２１は、扉側に設けられたスリット２２を門柱側に設けられたピン２３にスライドさせることにより、開閉可能となっている。
【００３１】
実施例２の水栓付き門柱によれば、実施例１の上記作用効果に加え、次の作用効果が得られる。、
（カ）照明灯１７により、機能門柱の機能が増える。
（キ）荷掛フック１８に、荷物を掛けられる。
（ク）収納空間２０に、物品を収納できる。
【００３２】
［実施例２］
図５に示す実施例３の水栓付き門柱は、水受けパン３が、門柱１の背面から背面の幅を越えて角張って張り出した（門柱１の側面には回り込んでいない）ものであり、例えば樹脂により形成されている点においてのみ実施例１と相違し、その他は実施例１と共通するものである。
【００３３】
実施例３の水栓付き門柱によっても、実施例１と同様の作用効果が得られる。
【００３４】
なお、本考案は前記実施例に限定されるものではなく、考案の趣旨から逸脱しない範囲で適宜変更して具体化することができる。
【符号の説明】
【００３５】
１    門柱
２    水栓
３    水受けパン
４    表札取付部
５    インターホン取付部
６    郵便受け取付部
７    照明灯取付部
８    配管
９    配管
１０    配線用穴
１１    配線
１２    配線用穴
１３    配線
１４    表札
１５    インターホン
１６    郵便受け
１７    照明灯
１８    荷掛フック
２０    収納空間
２１    扉
２２    スリット
２３    ピン
【図１】
0003230998.tif 000003
【図２】
0003230998.tif 000004
【図３】
0003230998.tif 000005
【図４】
0003230998.tif 000006
【図５】
0003230998.tif 000007